(57)【要約】【課題】  植物を育成するために地中に埋めた遠赤外線放射材料が、出水などにより移動することを防ぐ技術を提供することを課題とする。【解決手段】  少なくとも外表面の一部に遠赤外線放射材料が埋設されたことを特徴とする植栽ブロックを用いることによって上記課題を解決する。遠赤外線放射材料が植栽ブロックに設けられているので出水があっても流されにくい。また、その遠赤外線効果により付近の植物の育成を促進する。特に、遠赤外線放射材料が貴寶石（登録商標）の場合には、植物の根張りが著しくよくなり、生育は格段に優れる。【選択図】  図１
2006311823.tif 000002
【特許請求の範囲】
【請求項１】
少なくとも外表面の一部に遠赤外線放射材料が埋設されたことを特徴とする植栽ブロック。
【請求項２】
請求項１に記載の植栽ブロックにおいて、
前記遠赤外線放射材料が、貴寶石（登録商標）であることを特徴とする植栽ブロック。
【請求項３】
請求項１又は２に記載の植栽ブロックにおいて、
前記植栽ブロックが、土台と、該土台と一体となって形成された１又は２以上の隆起体とを有することを特徴とする植栽ブロック。
【発明の詳細な説明】
【技術分野】
【０００１】
本願発明は、植栽ブロックに関する。
【背景技術】
【０００２】
植物の成長に遠赤外線が有効であることが知られている。特に４ミクロンから１４ミクロンの波長は育成光線と呼ばれ、水や動植物の細胞を活性化させるといわれている。そのため、多くの遠赤外線放射材料が開発され（例えば、特許文献１）、また、遠赤外線放射材料を利用した植物の育成方法が存在する（例えば、特許文献２）。
【特許文献１】特開平６−８０４６６号公報
【特許文献２】特開２００１−１９７８３１号公報
【発明の開示】
【発明が解決しようとする課題】
【０００３】
上記のように遠赤外線放射材料やこれを利用した植物育成方法が数多く存在するが、河川の護岸工事などで植栽をする場合に、単に遠赤外線放射材料を土中に埋めるだけでは出水などが起こった際、水に流されてしまうおそれがある。
【０００４】
そこで、出水などにより遠赤外線放射材料が移動することなく、常時、植物を育成するための遠赤外線を放射する技術を提供することを課題とする。
【０００５】
なお、河川・湖沼・海洋などの水質改善が求められる中、近年、葦原などの湿地を用いた植生浄化が豊かな生態系を維持し、環境負荷の少ない浄化技術ととして注目されている。こうした観点からも、今後、護岸工事の際に葦などの植物を植える機会が増加すると考えられ、これらの植物の育成を促進することは環境保護の点でも重要である。
【課題を解決するための手段】
【０００６】
上記課題を解決するために、本願出願人は、少なくとも外表面の一部に遠赤外線放射材料が埋設されたことを特徴とする植栽ブロックを発明した。
【０００７】
また、本願発明は、前記遠赤外線放射材料が、貴寶石（登録商標）であることを特徴とする。貴寶石は常温下で他の遠赤外線材料よりも多くの遠赤外線を放射するので好適である。
【０００８】
また、本願発明は、前記植栽ブロックが、土台と、該土台と一体となって形成された一または複数の隆起体とを有することを特徴とする。土台と隆起体のそれぞれに遠赤外線材料を設けることで、異なる位置から多重に遠赤外線を放射することができる。
【発明の効果】
【０００９】
植栽ブロックの少なくとも外表面の一部に埋設された遠赤外線放射材料は出水などによって移動することはない。そして、遠赤外線放射材料の遠赤外線効果により付近の植物の育成を促進する。特に、貴寶石からの遠赤外線放射により植物の根張りが著しくよくなり、生育が格段に優れる。
【発明を実施するための最良の形態】
【００１０】
次に、本発明を実施するための最良の形態について図を用いて説明する。
【００１１】
図１において、植栽ブロック１００は、土台１１０と、この土台１１０と一体となって形成された複数の隆起体１２０を有している。隆起体１２０は、正八角錐の上部を水平に切断した形態をしており、水平となった上面部には貴寶石１３０が埋め込まれている。同様に土台１１０の上面にも貴寶石１３０が埋め込まれている。
【００１２】
土台１１０と隆起体１２０は、コンクリートでできている。したがって、培土資材をコンクリートに混合、固化させたものよりも丈夫で長期間使用できる。
【００１３】
貴寳石１３０は、以下の表１に示す成分からなる天然鉱物である。遠赤外線放射量が常温でも多く、また、耐磨耗性、耐衝撃性、耐熱性、耐薬品性に優れている。
【００１４】
【表１】
2006311823.tif 000003
また、貴寶石だけでなく、波長４〜４０μｍ程度の遠赤外線を放射する天然鉱物または人工鉱物を遠赤外線放射材料とすることもできる。例えばトルマリン（電気石）、石英片岩、石英閃緑石、角閃石、千枚石、花崗斑石、黒曜石、医王石、麦飯石、貴陽石、長石、ゼオライトなどの１種又は２種以上が挙げられる。遠赤外線放射材料から放射される遠赤外線は植栽植物の発根を促進し、生育を良好にする効能がある。ただし、多くの遠赤外線放射材料が高温下で多量の遠赤外線を放射するのに対し、貴寶石は常温でも多量の遠赤外線を放射するので、土中に埋設する植栽ブロックの材料として好適である。
【００１５】
次に、植栽ブロック１００の製造方法について説明する。
【００１６】
図２に示すように、第一段階では、隆起体１２０を形成するための型枠２００に５〜１０ｍｍ程度の大きさの貴寶石１３０を入れ、そこに生コンクリート４００を打設し、固化、養生する。
【００１７】
図３に示すように、第二段階では、型枠２００の土手上部２１０に５〜１０ｍｍ程度の大きさの貴寶石１３０を載せ、土台１１０を形成するための型枠３００に再び生コンクリート４００を打設し、固化、養生する。
【００１８】
このように第一段階、第二段階の生コンクリート４００を流し込む手順の前に貴寶石１３０を敷くので、固形後、型枠を外して植栽ブロック１００をひっくり返すと土台１１０と隆起体１２０の上面部に貴寶石１３０が埋まっていることとなる。
【００１９】
植栽ブロック１００の形状は任意であり、図示したものに限定されるものではない。また、必要に応じて、土台１１０の底部に通水孔を開けておくこともできる。
【００２０】
図４に示すように、植栽ブロック１００は、護岸などに埋設する。これに土をかぶせ、そこに葦などの植物５００を植える。貴寶石１３０から発せられる遠赤外線が、植物５００の根５１０に育成作用を及ぼし、植物５００の成長を促す。
【００２１】
本願発明である植栽ブロック１００の効果について調査を行った。一方は、河川の護岸に植栽ブロック１００を埋設し、そこに葦を植えた。他方は、その隣に植栽ブロック１００を埋設せずに葦を植えた。そして、３０日間経過後、互いの葦の成長具合を比較した。すると、前者の葦の方が成長が早く、根の張り具合や葉のつき方がよかった。
【００２２】
次に、巻尺補助具７００について説明する。
【００２３】
図５に示す土台１１０の底面のように物の角が面取りされている場合、基準面αからの長さｈを計測することは、普通の定規一本では困難である。このような場合、二つの定規を組み合わせて測るなどするが、不便である。また、一般的な巻尺はその先端が鉤状になっており物の角に引っ掛けて長さを計測することができるが、やはり物の角が面取りされている場合には、鉤状部を引っ掛けることができず計測は困難である。
【００２４】
そこで、図６に示すような巻尺補助具７００を巻尺の測定テープ８００の先端鉤上部に取り付けると便利である。
【００２５】
巻尺補助具７００は、突出部７１０、７２０、７３０と、取付部７４０、７５０とを有する。突出部７１０、７２０、７３０は取付部７４０から三又に伸びている。取付部７５０は、測定テープ８００の先端鉤上部に取り付けられるべく、取付部７４０の端部に直角に設けられている。
【００２６】
図７に示すように、巻尺補助具７００の測定テープ８００の先端鉤上部への取り付けは、両面テープ７６０を用いる方法がある。また、取付部７５０と測定テープ８００の先端鉤上部を小型のビスで固定してもよい。また、輪ゴムで固定してもよい。
【００２７】
巻尺補助具７００を測定テープ８００の先端鉤上部へ取付けることで、物の角が面取りされている場合であっても、突出部７１０、７２０、７３０を基準面αに引っ掛けることができるので、容易に長さｈを計測できる。
【００２８】
また、突出部は必ずしも３つでなくてもよい。突出部７１０だけでも基準面αに引っ掛けることができれば計測が可能である。
【００２９】
また、取付部７５０を設けず、測定テープ８００の先端鉤上部に取付部７４０を接着させてもよい。
【００３０】
また、巻尺補助具７００を取り付けるのではなく、測定テープ８００の先端鉤上部に突出部を設けた巻尺としてもよい。
【図面の簡単な説明】
【００３１】
【図１】本発明にかかる植栽ブロックの斜視図である。
【図２】植栽ブロックの製造工程の第一段階を示す状態断面図である。
【図３】植栽ブロックの製造工程の第二段階を示す状態断面図である。
【図４】植栽ブロックを埋設した状態の断面図である。
【図５】植栽ブロックの側面概略図である。
【図６】巻尺補助具の使用状態図である。
【図７】巻尺補助具の使用状態を示す断面図である。
【符号の説明】
【００３２】
１００    植栽ブロック
１１０    土台
１２０    隆起体
１３０    貴寶石
２００    型枠
３００    型枠
４００    コンクリート
５００    植物
７００    巻尺補助具
【図１】
2006311823.tif 000004
【図２】
2006311823.tif 000005
【図３】
2006311823.tif 000006
【図４】
2006311823.tif 000007
【図５】
2006311823.tif 000008
【図６】
2006311823.tif 000009
【図７】
2006311823.tif 000010